(57)【要約】      （修正有）【課題】照明装置の光線を照射したエリアに対して防汚自浄、除臭、抗病毒、抗病原菌を達成し、環境中の汚染物質を取り除き、且つ防カビ防汚等を優位にする照明装置を提供する。【解決手段】少なくとも電源に電気連接するランプソケット１１及び該ランプソケット１１の上端部に組立設置した発光部１２を含む照明装置１において、外表面には被覆層２を塗布し、そのうち該被覆層２はナノ抗ウイルス材から製造され，且つ該ナノ抗ウイルス材は二酸化チタンとナノシルバーの材から製造される。【選択図】図１
0003210086.tif 000002
【実用新案登録請求の範囲】
【請求項１】
少なくとも電源に電気連接するランプソケット及び該ランプソケットの上端部に組立設置した発光部１２を含む照明装置において、
外表面には被覆層を塗布し、そのうち該被覆層はナノ抗ウイルス材から製造され，且つ該ナノ抗ウイルス材は二酸化チタンとナノシルバーの材から製造されることを特徴とする照明装置。
【請求項２】
前記ランプソケットと該発光部の間は固定部品を組立設置し、該固定部品の外表面は、ナノ抗ウイルス材が塗布された被覆層を設置することを特徴とする請求項１記載の照明装置。
【請求項３】
前記ランプソケットの外表面は、複数個の放熱部品を組立設置し、該放熱部品の外表面は、ナノ抗ウイルス材が塗布された被覆層を設置することを特徴とする請求項２記載の照明装置。
【請求項４】
前記ランプソケットの外表面は、持ち手を組立設置し、該持ち手の外表面は、ナノ抗ウイルス材が塗布された被覆層を設置することを特徴とする請求項２記載の照明装置。
【請求項５】
前記ランプソケットの外表面は、持ち手を組立設置し、該持ち手の外表面は、ナノ抗ウイルス材が塗布された被覆層を設置することを特徴とする請求項３記載の照明装置。
【請求項６】
前記ランプソケットの外端部には蓋体を設置し、該蓋体の外表面は、ナノ抗ウイルス材が塗布された被覆層を設置することを特徴とする請求項１記載の照明装置。
【請求項７】
前記固定部品は台座を設置し，該台座の外表面は、ナノ抗ウイルス材が塗布された被覆層を設置することを特徴とする請求項２記載の照明装置。
【考案の詳細な説明】
【技術分野】
【０００１】
本考案は、照明装置に関するもので、特に表面にナノ抗ウイルス材を被覆する照明装置であり、主に二酸化チタンとナノシルバー等材料で製造されたナノ抗ウイルス材を照明装置主体に塗布し、照明装置の光線を照射したエリアに対して防汚自浄、除臭、抗病毒、抗病原菌を達成し、環境中の汚染物質を取り除き、且つ防カビ防汚等を優位にする。
【背景技術】
【０００２】
世界中での異常現象、土地の過度な開発に依る汚染の結果、そして建築構造が過度に高い気密性を備えるようになったため、どこにいても現代人の生活環境の品質は益々悪化している。更に人々は日中、密閉された空調の中で働き、もしくは都会の街角で充満した排気ガスに晒されている。そのため、夜は静かで空気の正常な空間でゆっくり休みたいと思うものである。更に、生きるために必要なものである『空気』の品質は最も直接的に環境の優劣に影響を与える。この他、例として省エネ電球、蛍光灯、埋込み式ライト、デザインライトもしくはサーチライト等のような光源を提供する照明装置は室内及び夜間の重要なものであり、それはすべて単一の伝統照明機能を提供し、周囲の環境に光線を照射して便利性を高める。
【考案の概要】
【考案が解決しようとする課題】
【０００３】
解決しようとする問題点は、空気の質が益々悪化する今日、特に浮游細菌、カビ菌もしくは微生物等はどこにでも存在する。照明装置は機能に変化がなく、例として密閉された冷房の中、長時間排気されたPM２.５の蓄積と人が持ち込むウイルス及び細菌は、すべて空気の品質を下げており、それが人体に不適症状をもたらす元凶となっている。照明装置のハードデザインに如何にして空間の除臭、抗ウイルス、抗病原菌もしくは防カビ等機能を付加するかが解決の課題である。
【課題を解決するための手段】
【０００４】
本考案は、照明機能を提供する。照明装置本体の外表面に被覆層を設置する。そのうち被覆層はナノ抗ウイルス材から製造される。照明装置は二酸化チタンとナノシルバー等材料で製造されたナノ抗ウイルス材を照明装置主体に被覆することを最も主要な特徴とする。
【考案の効果】
【０００５】
本考案の照明装置は、二酸化チタンとナノシルバー等材料で製造されたナノ抗ウイルス材を任意の照明装置の外表面に塗布し、照明装置の光線がナノ抗ウイルス材を通過した後で照射されたエリアに対して防汚自浄、除臭、抗病毒、抗病原菌を達成して環境内の汚染物質（例としてホルムアルデヒド）を取り除き、防カビ防汚等を優位にするという利点がある。
【図面の簡単な説明】
【０００６】
【図１】本考案の第一実施例の装置正面透視図である。
【図２】本考案の第一実施例の装置断面指示図である。
【図３】本考案の第二実施例の外観全体指示図である。
【図４】本考案の第三実施例の外観全体指示図である。
【図５】本考案の第四実施例の外観全体指示図である。
【図６】本考案の第五実施例の外観全体指示図である。
【図７】本考案の第六実施例の外観全体指示図である。
【図８】本考案の第七実施例の外観全体指示図である。
【図９】本考案の第八実施例の外観全体指示図である。
【図１０】本考案の第九実施例の外観全体指示図である。
【図１１】本考案の第十実施例の外観全体指示図である。
【図１２】本考案の第十一実施例の外観全体指示図である。
【図１３】本考案の第十二実施例の外観全体指示図である。
【図１４】本考案の第十三実施例の外観全体指示図である。
【図１５】本考案の第十四実施例の外観全体指示図である。
【考案を実施するための形態】
【０００７】
考案者は上述を鑑み、豊富な専業知識及び多年の実務経験をもとに照明装置を創作した。その目的は表面にナノ抗ウイルス材を被覆する照明装置を提供する。主二酸化チタンとナノシルバー等材料で製造されたナノ抗ウイルス材を照明装置主体に被覆し、照明装置の光線によって照射されたエリアに対して防汚自浄、除臭、抗病毒、抗病原菌を達成して環境内の汚染物質（例としてホルムアルデヒド）を取り除き、防カビ防汚等を優位にする。
【０００８】
上述実施目的を達成するため、本考案者は照明装置を提供する。それは少なくとも電源に電気連接するランプソケット及びランプソケット上端部に組立設置した発光部を含む。照明装置の外表面は被覆層を設置する。そのうち被覆層はナノ抗ウイルス材から製造され，且つナノ抗ウイルス材は二酸化チタンとナノシルバーの材から製造されることを特徴とする。
【０００９】
本考案の一実施例において、ランプソケットと発光部の間には固定部品を設置し，固定部品の外表面はナノ抗ウイルス材で製造した被覆層を塗布設置する。
【００１０】
本考案の一実施例において，ランプソケットの外表面は複数個の放熱部品を組立設置し、放熱部品の外表面はナノ抗ウイルス材で製造した被覆層を塗布設置する。
【００１１】
本考案の一実施例において，ランプソケットの外表面は持ち手を組立設置し、持ち手の外表面はナノ抗ウイルス材で製造した被覆層を塗布設置する。
【００１２】
本考案の一実施例において，ランプソケットの外端部は蓋体を設置し、蓋体の外表面はナノ抗ウイルス材で製造した被覆層を塗布設置する。
【００１３】
本考案の一実施例において、固定部品は台座を設置し、台座の外表面はナノ抗ウイルス材で製造した被覆層を塗布設置する。
【００１４】
本考案の照明装置は、主に二酸化チタンとナノシルバー等材料で製造されたナノ抗ウイルス材を任意の照明装置の外表面に塗布設置し，照明装置の光線がナノ抗ウイルス材を通過した後で照射されたエリアに対して防汚自浄、除臭、抗病毒、抗病原菌を達成して環境内の汚染物質（例としてホルムアルデヒド）を取り除き、防カビ防汚等を優位にする。
（実施例１）
【００１５】
本考案の技術特徴、内容と長所及びその達成する効果を説明するため、図式を示しながら、実施例を挙げて以下に詳細に説明する。そのうち、使用する図式は、説明するためにのみ指示したものであり、本考案の請求範囲を制限するものでないことを明記する。
【００１６】
先ず、図１、２に示すのは、本考案の照明装置の第一実施例の装置正面透視図及び装置断面指示図である。そのうち本考案の照明装置１は、少なくとも電源に電気連接するランプソケット１１及びランプソケット１１上端に設置する発光部１２を含む。その主な特徴として、照明装置１の外表面は被覆層２を塗布する。そのうち被覆層２は、ナノ抗ウイルス材から製造され、且つナノ抗ウイルス材は二酸化チタンとナノシルバーの材から製造される。本考案の一実施例において、主に二酸化チタンとナノシルバー等材料で製造されたナノ抗ウイルス材を電球の照明装置１外表面に塗布することで、照明装置の光線はナノ抗ウイルス材を通した後で照射されたエリアに対して防汚自浄、除臭、抗病毒、抗病原菌を達成して環境内の汚染物質（例としてホルムアルデヒド）を取り除き、防カビ防汚等を優位にする。
（実施例２）
【００１７】
その他、図３に示すのは、本考案の照明装置の第二実施例の外観全体指示図である。そのうち、照明装置１はエリアを照らす蛍光灯具であり、その主な特徴として、蛍光灯具の外表面は被覆層２を塗布する。そのうち被覆層２はナノ抗ウイルス材から製造され、且つナノ抗ウイルス材は二酸化チタンとナノシルバーの材から製造され、蛍光灯の光線がナノ抗ウイルス材を通過した後に照射したエリアに対し、防汚自浄、除臭、抗病毒、抗病原菌，環境中の汚染物質（例としてホルムアルデヒド）を取り除き、且つ防カビ防汚等を優位にする。
（実施例３、４）
【００１８】
更に、ランプソケット１１と発光部１２の間には、固定部品１３を設置する。固定部品１３の外表面は、ナノ抗ウイルス材が塗布された被覆層２を設置する。図４と図５に示すのは本考案の照明装置の第三実施例の外観全体指示図及び第四実施例の外観全体指示図である。そのうち、図４と図５の照明装置１はエリアを照らす省電電球と薄型パネルライトである。そのランプソケット１１と発光部１２の間には固定部品１３を設置し、固定部品１３の外表面にはナノ抗ウイルス材が塗布された被覆層２を設置し、二酸化チタンとナノシルバー等材料で製造されたナノ抗ウイルス材は省電電球と薄型パネルライトの照明装置１外表面に塗布し、省電電球と薄型パネルライトの光線はナノ抗ウイルス材を通過した後に照射したエリアに対して防汚防汚自浄、除臭、抗病毒、抗病原菌，環境中の汚染物質（例としてホルムアルデヒド）を取り除き、且つ防カビ防汚等を優位にする。
（実施例５）
【００１９】
その他、ランプソケット１１の外表面は、複数個の放熱部品１４を組立設置し、放熱部品１４の外表面にはナノ抗ウイルス材が塗布された被覆層２を設置する。図６に示すのは本考案の照明装置の第五実施例の外観全体指示図である。そのうち、照明装置１はエリアを照らす省エネ遮光型埋込み式ライトであり、そのランプソケット１１の外表面は複数個の放熱部品１４を組立設置し、放熱部品１４の外表面はナノ抗ウイルス材が塗布された被覆層２を設置する。二酸化チタンとナノシルバー等材料で製造されたナノ抗ウイルス材を省エネ遮光型埋込み式ライトの照明装置１外表面に塗布することにより、省エネ遮光型埋込み式ライトの光線はナノ抗ウイルス材を通過した後に照射したエリアに対して防汚自浄、除臭、抗病毒、抗病原菌を達成して環境内の汚染物質（例としてホルムアルデヒド）を取り除き、防カビ防汚等を優位にする。
（実施例６）
【００２０】
更にランプソケット１１の外表面は、持ち手１５を設置し、持ち手１５の外表面は、ナノ抗ウイルス材が塗布された被覆層２を設置する。図７に示すのは本考案の照明装置の第六実施例の外観全体指示図である。そのうち、照明装置１はエリアを照らす吊り掛け式埋込み式ライトであり、ランプソケット１１の外表面は、持ち手１５を設置し、持ち手１５の外表面は、ナノ抗ウイルス材が塗布された被覆層２を設置する。二酸化チタンとナノシルバー等材料で製造されたナノ抗ウイルス材を吊り掛け式埋込み式ライトの照明装置１外表面に塗布することにより、吊り掛け式埋込み式ライトの光線はナノ抗ウイルス材を通過した後に照射したエリアに対して防汚自浄、除臭、抗病毒、抗病原菌を達成して環境内の汚染物質（例としてホルムアルデヒド）を取り除き、防カビ防汚等を優位にする。
（実施例７、８、９）
【００２１】
その他、ランプソケット１１の外端部は、蓋体１６を設置する。蓋体１６の外表面はナノ抗ウイルス材が塗布された被覆層２を設置する。図８〜１０図に示すのは、本考案の照明装置の第七実施例の外観全体指示図、第八実施例の外観全体指示図及び第九実施例の外観全体指示図である。そのうち、図８〜１０の照明装置１は、エリアを照らすためのシーリングライト、筒型ライトと埋込み式ライトであり、そのランプソケット１１の外端部には蓋体１６で蓋をする。蓋体１６の外表面は、ナノ抗ウイルス材が塗布された被覆層２を設置する。二酸化チタンとナノシルバー等材料で製造されたナノ抗ウイルス材をシーリングライトの照明装置１外表面に塗布することによって、照明装置１の光線はナノ抗ウイルス材を通過した後に照射したエリアに対して防汚自浄、除臭、抗病毒、抗病原菌を達成して環境内の汚染物質（例としてホルムアルデヒド）を取り除き、防カビ防汚等を優位にする。
（実施例１０、１１、１２、１３、１４）
【００２２】
更に固定部品１３は台座１７を設置し、台座１７の外表面は、ナノ抗ウイルス材が塗布された被覆層２を設置する。図１１〜１５に示すのは本考案の照明装置の第十〜十四実施例の外観全体指示図である。そのうち照明装置１は、一エリアを照らすためのサーチライト、アウトドアライト、立灯、デザインライトと特定照明灯であり、その固定部品１３は台座１７を設置し、台座１７の外表面は、ナノ抗ウイルス材が塗布された被覆層２を設置し、二酸化チタンとナノシルバー等材料で製造されたナノ抗ウイルス材を照明装置１外表面に塗布することに拠って、照明装置１の光線はナノ抗ウイルス材を通過した後に照射したエリアに対して防汚自浄、除臭、抗病毒、抗病原菌を達成して環境内の汚染物質（例としてホルムアルデヒド）を取り除き、防カビ防汚等を優位にする。
【００２３】
本考案の目的、特徴及び達成する効果を理解するため、本考案の照明装置の具体的な実施例を提示し、更に本考案の照明装置可実際応用の範囲を証明する。しかしながら、それは本考案の請求範囲を制限するものではない。使用者は照明装置を設置する時、本考案の照明装置を選択することで、照明装置１が照射するエリアの防汚自浄、除臭、抗病毒、抗病原菌を達成して環境内の汚染物質（例としてホルムアルデヒド）を取り除き、防カビ防汚等を優位にする。本考案の照明装置１は、少なくとも電源に電気連接するランプソケット１１及びランプソケット１１上端に設置する発光部１２を含む。照明装置１の外表面は被覆層２を塗布し、そのうち被覆層２はナノ抗ウイルス材から製造され，且つナノ抗ウイルス材は二酸化チタンとナノシルバーの材から製造される。本考案は主に二酸化チタンとナノシルバー等材料で製造されたナノ抗ウイルス材を照明装置１の主体に塗布し、アウトドアライトの光線が照射されたエリアに防汚自浄、除臭、抗病毒、抗病原菌を達成して環境内の汚染物質（例としてホルムアルデヒド）を取り除き、防カビ防汚等を優位にすることを特徴とする。
【００２４】
上述のとおり、本考案の照明装置は上述に提示した実施例によって、予定した効果を達成することを確実にする。更に本考案は申請前で公開されていないため、特許法の規定と要求に完全に符合する。
【００２５】
上述に提示した図示及び説明は、本考案の実施例に過ぎず、本考案の請求範囲を制限するものではない。当領域に習熟した者が本考案の特徴範疇に基づいて行ったその他の同効果の変化もしくは修飾はすべて本考案の請求範囲に含むものとする。
【符号の説明】
【００２６】
１        照明装置
１１        ランプソケット
１２        発光部
１３        固定部品
１４        放熱部品
１５        持ち手
１６        蓋体
１７        台座
２        被覆層
【図１】
0003210086.tif 000003
【図２】
0003210086.tif 000004
【図３】
0003210086.tif 000005
【図４】
0003210086.tif 000006
【図５】
0003210086.tif 000007
【図６】
0003210086.tif 000008
【図７】
0003210086.tif 000009
【図８】
0003210086.tif 000010
【図９】
0003210086.tif 000011
【図１０】
0003210086.tif 000012
【図１１】
0003210086.tif 000013
【図１２】
0003210086.tif 000014
【図１３】
0003210086.tif 000015
【図１４】
0003210086.tif 000016
【図１５】
0003210086.tif 000017